(57)【要約】【課題】  従来の水位調節装置より、より小型で、高い動作信頼性を備える間歇型補水器を提供することを課題とする。【解決手段】  気密ケース６０と、該気密ケース６０の外部に設けられ気密ケース６０の通気孔６６を開閉する第１浮き部７０と、該気密ケース６０の内部に設けられ給水口６２ａを開閉する第２浮き部８０とから構成され、前記気密ケース６０は、立方体の下面が開口し、上面及び側面が気密的に閉じ、内部が大容積の浮き室６０ａと、小容積の気室６０ｂの２室に隔壁６４で区画され、、気密ケース６０の浮き室６０ａの一側の外側面壁６３及び浮き室６０ａとの区画隔壁６４が、下面から所定寸法短く下面に通気溝６０ｃが形成され、気室６０ｂの一側の外側側壁６５が区画隔壁６４よりさらに僅かに短く下面に通気溝６０ｄが形成され、前記通気孔６６が浮き室６０ａと気室６０ｂにまたがり設けられていることを特徴とする間歇型補水器【選択図】  図１
2006271207.tif 000002
【特許請求の範囲】
【請求項１】
気密ケースと、該気密ケースの外部に設けられ気密ケースの通気孔を開閉する第１浮き部と、該気密ケースの内部に設けられ給水口を開閉する第２浮き部とから構成する間歇型補水器であって、
前記気密ケースは、立方体の下面が開口し、上面及び側面が気密的に閉じ、内部が大容積の浮き室と、小容積の気室の２室に隔壁で区画され、該気密ケースの浮き室の一側の外側面壁及び浮き室との区画隔壁が下面から所定寸法短く下面に通気溝が形成され、気室の一側の外側側壁が区画隔壁よりさらに僅かに短く下面に通気溝が形成され、浮き室の外側面壁の下端から外部に延びた水平板に下向きに設けた給水パイプ接続部を備え、水平板の先端部に第２浮き部を回動自在に保持する嵌合軸、反対側の気室外壁に第１浮き部を回動自在に保持する嵌合軸を備え、さらに前記区画の隔壁の上面に浮き室と気室の２室に跨るように開口した通気孔を備え、
前記第１浮き部は、前記気室外壁の嵌合軸に回動自在に支持される連結部と、前記気密ケースの上面に被さり反対側の水平板上部まで延びる外竿部と、外竿部の前記通気孔に対向する位置に設けられた通気塞ぎ栓と、竿部の先端部の左右に下向きに設けられた二つの浮力体の収納部と、そこに収納された浮力体とから構成され、
前記第２浮き部は、前記嵌合軸に回動自在に支持される連結部と、気密ケースの浮き室内に延びる内竿部と、内竿部の前記給水口に対向する位置に設けた給水塞ぎ栓と、前記浮き室内に延びる内竿部の先端と左右に設けられた保持部と、保持部に保持された浮力体から構成されることを特徴とする間歇型補水器。
【請求項２】
前記気密ケースは、前記第２浮き部が浮力により浮き上がったときに回動する所定角度にあわせ後方が高く形成され、前記第１浮き部も該気密ケースの高さに合わせてその連結部から延びる外竿部が気密ケース上面と平行になるように所定角度前方に向かい低くされて、前記通気孔に前記通気塞栓が当接するように形成されていることを特徴とする請求項１記載の間歇型補水器。
【請求項３】
前記浮力体は、発泡ポリウレタン樹脂の立方体であることを特徴とする請求項１記載の間歇型補水器。
【請求項４】
前記給水塞栓及び通気塞栓は、耐候性を有する弾性部材からなる円柱形の栓を前記内竿部又は外竿部に設けた取付け孔に嵌合していることを特徴とする請求項１記載の間歇型補水器。
【発明の詳細な説明】
【技術分野】
【０００１】
本発明は、屋内外環境に応じた最適な自動潅水管理を行うための間歇型補水器に関する。
【背景技術】
【０００２】
従来から植物栽培による環境改善が提案されていたが、特に、厳しい環境にある屋上或いは壁面緑化は、植物本来のＣＯ２の固定化及び蒸散作用による気化熱で屋上の気温上昇を抑制することから、都市部のヒートアイランド現象の緩和対策として全国的に注目を集めている。このため、屋上緑化や壁面緑化のさまざまな発明が提案されている。特に、日照により乾燥しやすい屋上、壁面や屋根部に対する潅水や、保水培地に関してさまざまな提案がなされてきた。
【０００３】
従来の潅水システムは、給水・集水ポンプや、開閉電磁栓を電気的に制御し、特に、給水は、予め設定した一定時間ごとに作動させるものであった。
【０００４】
植物の生育環境は、季節及びその日の天候により大きな違いがあり、また、植生された植物が、芽が出た状態から繁茂した状態までの生育状況に応じて潅水の消費量も大きく異なる。さらに、建物屋上にあっては、その環境の変化は地面に接した環境より大きく変化する。このため、屋上緑化においては、従来の一定時間ごとの自動給水システムでは、過剰給水や給水不足をきたし、本来の植物成長に適した給水を行うことがなされていなかった。このため、屋上緑化の問題解決には潅水管理が重要な課題となっていた。
【０００５】
本発明者らが提案した特許文献１には、植物の育成鉢やプランターへの給水調節可能な水位調節装置と、その水位調節装置を用いた水受け器及びプランターについて開示されている。
【０００６】
図７は、特許文献１の水位調節装置１の構造を示す断面図である。水位調節装置１は、底面が開放されたケース１０の上壁に空気孔１７を有し、水位の上昇により浮き上がる第１の浮き２０が、その上下により通気用泉４が空気孔１７を開閉するように取り付けられ、ケース１０内に水位の変化で上下する第２の浮き３０が給水パイプと接続される注水口１６を開閉するように設けられた構造である。この水位調節装置１は、潅水開始水位Ｗ３になると、第２の浮き３０が注水開始の傾き線に示すように傾き、注水口１６を開けて注水させ、最高水位Ｗ２に達したとき、注水口１６ａを閉じる。このとき第２の浮き３０は水位により浮き上がり注水栓を閉じた状態となり、潅水された植物が給水を吸い上げ消費するに伴い水位が低下したとき、第１の浮き２０が下がり、空気孔１７が塞がれたケース１０内は、減圧状態となり第２の浮き３０が水位と共に下がることを抑止する。水位が、ケース１０の側壁に設けられた通気溝１８の高さ（潅水開始水位Ｗ３）以下に低下したとき、通気溝１８から流入する空気によりケース１０内の減圧状態が解かれ、第２の浮き３０が注水開始の傾き位置まで傾き注水が開始される。
【０００７】
この水位調節装置１を、水受け器の底部に設けて上部の貯水タンクと連結することにすれば、電気制御やポンプなどの動力を用いることなく、植物の水消費にあわせて、間欠的に潅水を行うことができる。水受け器内に載置した植木鉢の植物が、その季節、天候に応じて水消費を行い、完全に消費してから潅水を行うことができる。この繰り返しは、植栽土壌に、水と空気を交互に供給することとなり、土壌の活性化と植物の生育条件が理想的とすることができた。このため、屋上や壁面緑化においても、潅水管理に適用することが望まれていた。
【０００８】
この発明の水位調節装置１の適用にあたり、屋根上や壁面のメンテナンスが困難な場所で長期間の運用に当たり故障がないことが求められ、また、壁面などに取り付けられる狭い植栽容器に収容可能で、信頼性が高い間歇型補水器が求められていた。しかしながら、水位を感知する第１浮き、第２浮きの容積から小型化が難しく、間や、第２浮きの内部が中空であることから温度、気圧の変動による動作水位のばらつきがおきる問題があった。
【０００９】
【特許文献１】特開２００２−３４５３４２号公報（第２、３頁、４頁、第１図）
【発明の開示】
【発明が解決しようとする課題】
【００１０】
本発明は、前述の問題を解決するため、従来の水位調節装置より、より小型で、高い動作信頼性を備える間歇型補水器を提供することを課題とする。
【００１１】
また、潅水周期は、生育している植物が、潅水をすべて消費し培養土壌が一旦乾燥する周期に沿って行われるように制御されることを課題とする。
【課題を解決するための手段】
【００１２】
本発明の間歇型補水器は、  気密ケースと、該気密ケースの外部に設けられ気密ケースの通気孔を開閉する第１浮き部と、該気密ケースの内部に設けられ給水口を開閉する第２浮き部とから構成する間歇型補水器であって、
前記気密ケースは、立方体の下面が開口し、上面及び側面が気密的に閉じ、内部が大容積の浮き室と、小容積の気室の２室に隔壁で区画され、該気密ケースの浮き室の一側の外側面壁及び浮き室との区画隔壁が下面から所定寸法短く下面に通気溝が形成され、気室の一側の外側側壁が区画隔壁よりさらに僅かに短く下面に通気溝が形成され、浮き室の外側面壁の下端から外部に延びた水平板に下向きに設けた給水パイプ接続部を備え、水平板の先端部に第２浮き部を回動自在に保持する嵌合軸、反対側の気室外壁に第１浮き部を回動自在に保持する嵌合軸を備え、さらに前記区画の隔壁の上面に浮き室と気室の２室に跨るように開口した通気孔を備え、
前記第１浮き部は、前記気室外壁の嵌合軸に回動自在に支持される連結部と、前記気密ケースの上面に被さり反対側の水平板上部まで延びる外竿部と、外竿部の前記通気孔に対向する位置に設けられた通気塞ぎ栓と、竿部の先端部の左右に下向きに設けられた二つの浮力体の収納部と、そこに収納された浮力体とから構成され、
前記第２浮き部は、前記嵌合軸に回動自在に支持される連結部と、気密ケースの浮き室内に延びる内竿部と、内竿部の前記給水口に対向する位置に設けた給水塞ぎ栓と、前記浮き室内に延びる内竿部の先端と左右に設けられた保持部と、保持部に保持された浮力体から構成されることを特徴とする。
【００１３】
また、前記気密ケースは、前記第２浮き部が浮力により浮き上がったときに回動する所定角度にあわせ後方が高く形成され、前記第１浮き部も該気密ケースの高さに合わせてその連結部から延びる外竿部が気密ケース上面と平行になるように所定角度前方に向かい低く形成されて、前記通気孔に前記通気塞栓が当接するように形成されていることを特徴とする。
【００１４】
また、前記浮力体は、発泡ポリウレタン樹脂の立方体であることを特徴とする。
【００１５】
また、前記給水塞ぎ栓及び通気塞ぎ栓は、耐候性を有する弾性部材からなる円柱形の栓を前記内竿部又は外竿部に設けた取付け孔に嵌合していることを特徴とする。
【発明の効果】
【００１６】
本発明の間歇型補水器によれば、給水口が上部から下向きに配設され、第１浮き部の浮き体の容積が小さくできることから前後の寸法が従来より短く、また、第２浮き部の浮き体の容積も小さくてすむことから左右の寸法を従来より短く形成することができる。このため、装置全体を小型にすることができる。
【００１７】
また、気密ケース内を浮き室と気室に区分し、２室に跨る通気孔が設けられていることにより、それぞれの室内の空気圧により給水時の第２浮き部の上昇を抑制すると共に、潅水開始水位となった際には、気室に流入する外気を通気孔を通じて浮き室内に流入させ、減圧状態による浮き体の下降抑止状態の解除を確実に行う。このため、従来の装置では、通気口からのみの空気流入では減圧状態の解除が不確実であった問題をなくすることができる。
【００１８】
従来、給水口の塞ぎ栓を作動させる第２浮きの内部は空洞であったために作動が不安定であった。本発明では、浮力体が発泡体などの固体であるため、内部空気の水圧による縮小や、気圧、温度による影響を受けることがなく、水位の変化に確実に連動して作動させることができる。
【発明を実施するための最良の形態】
【００１９】
本発明の間歇型補水器の実施の形態を、図に基づいて詳細に説明する。図１は本発明の間歇型補水器を示す図で、（ａ）は正面図、（ｂ）は平面図である。
【００２０】
図１（ａ）に示す間歇型補水器５０は、気密ケース６０と、該気密ケース６０の外部に設けられ気密ケース６０の通気孔６６を開閉する第１浮き部７０と、該気密ケース６０の内部に設けられ給水口６２ａを開閉する第２浮き部８０とから構成されている。
【００２１】
前記気密ケース６０は、立方体の下面が開口し、上面及び側面が気密的に閉じ、内部が大容積の浮き室６０ａと、小容積の気室６０ｂの２室に隔壁６４で区画されている。
【００２２】
また、その気密ケース６０の浮き室６０ａの一側の外側面壁６３及び浮き室６０ａとの区画隔壁６４が、下面から所定寸法短く下面に通気溝６０ｃが形成され、気室６０ｂの一側の外側面壁６５が区画隔壁６４よりさらに僅かに短く下面に通気溝６０ｄが形成されている。
【００２３】
この実施の形態では、通気溝６０ｃは、下面から５ミリの高さとなるように外側面壁６３と区画隔壁６４が形成され、通気溝６０ｄは下面から６ミリの高さの溝となるように外側面壁６５が形成されている。
【００２４】
また、浮き室６０ａの外側面壁６３の下端には、外部に延びた水平板６１が設けられ、水平板６１には下向きに設けた給水パイプ接続部６２が設けられている。
【００２５】
給水パイプ接続部６２は、潅水用のタンク（図示省略）から落差などによる一定の水圧で供給される潅水を、給水パイプを接続して受ける部材で、パイプ受口を有し、逆Ｌ字形に曲げられて、水平板６１から立ち上がる形に形成されている。給水パイプ接続部の下端は、水平板６１の底部に開口した給水口６２ａとなっている。
【００２６】
さらに、水平板６１の先端部には、第２浮き部８０を回動自在に保持する嵌合軸６７が設けられている。嵌合軸６７には、第２浮き部８０の連結部８１の連結孔が嵌められ、第２浮き部８０が水位の上下により嵌合軸６７を軸として上下に回動する。
【００２７】
一方、反対側の左右の気室外壁に第１浮き部７０を回動自在に保持する嵌合軸６８が設けられている。嵌合軸６８には、第１浮き部７０の連結部７１の連結孔が嵌められ、第１浮き部７０が水位の上下により嵌合軸６８を軸として上下に回動する。
【００２８】
気密ケース６０の上面（天井部分）には、前記区画隔壁６４の上面に当たる位置に、浮き室６０ａと気室６０ｂの２室に跨るように開口した通気孔６６が設けられている。すなわち、通気孔６６の中心は、区画隔壁６４の中心線上とされ、孔の直径は、区画隔壁６４の幅より大きく形成され、浮き室６０ａと気室６０ｂの両方の室に連通する構造とされている。
【００２９】
この実施の形態では、区画隔壁６４の幅は１ｍｍ、通気孔６６の直径は２ｍｍとされている。
【００３０】
前記気密ケース６０は、前記第２浮き部８０が浮力により浮き上がったときに回動する所定角度にあわせ後方が高く形成されている。この実施の形態では、前方の高さ２５ｍｍに対し後方が５ｍｍ高く形成されている。
【００３１】
また、前記第１浮き部７０も該気密ケース６０の高さに合わせてその連結部７１から延びる外竿部７２が気密ケース６０上面と平行になるように所定角度前方に向かい低く形成されている。
【００３２】
次に、前記第１浮き部７０について説明する。
【００３３】
第１浮き部７０は、前記気室外壁の嵌合軸６８に回動自在に支持される左右の連結部７１と、連結部７１の承安に設けられ前記気密ケース６０の上面に被さり反対側の水平板６１上部まで延びる外竿部７２とから構成される。
【００３４】
外竿部７２には、の前記通気孔６６に対向する位置に通気塞栓７３が設けられ、さらに外竿部７２の先端部の左右には、下向きに二つの浮力体の収納部７４が設けられて、収納部７４には浮力体７５が収容されて浮きとされている。前記通気塞栓７３は、耐候性を有する弾性部材からなる円柱形の栓を前記外竿部に設けた取付け孔に嵌合している。
【００３５】
この第１浮き部７０は、潅水が開始されて、本発明の間歇型補水器が設置されている植栽容器の底部水位が上昇したとき、水中に浮かんだ浮力体７５の浮力により外竿部７２が持ち上げられ、嵌合軸６８を軸として上方に回動し、通気孔６６に対向する位置に設けられ、通気孔６６を塞いでいた通気塞栓７３が上に移動し、通気孔６６を開き、気密ケース６０の浮き室６０ａと気室６０ｂ内の空気を上部（外部）に排出可能とするものである。
【００３６】
この動きは、第１浮き部７０の重量と、水中の浮力体７５が収納された収納部７４の体積のバランスによるため、一定の水位となるまでは通気孔６６を開かない。通気孔６６が閉じられている間は、第２浮き部８０は浮き室６０ａ内の空気圧に妨げられて、浮力による上昇が規制される。
【００３７】
次に、第２浮き部８０について説明する。
【００３８】
第２浮き部８０は、気密ケース６０の前方に延びた水平板６１の先端部の前記嵌合軸６７に回動自在に支持される連結部８１と、気密ケース６０の浮き室６０ａ内に延びる内竿部８２とからなり、内竿部８２には水平板６１の底面に開く前記給水口６２ａに対向する位置に給水塞栓８３が設けられている。前記給水塞栓８３は、耐候性を有する弾性部材からなる円柱形の栓を前記内竿部設けた取付け孔に嵌合している。
【００３９】
前記浮き室６０ａ内に延びる、内竿部８２には浮力体８５を保持するため下方に延びた保持部８４が前方と左右に設けられている。
【００４０】
この実施の形態では発泡合成樹脂の浮力体８５を保持するため、保持部８４には突起８４ａを設けている、また、浮力体８５の上面が当接する内竿部８２の下面に浮力体に突き刺して保持する突起８４ｂを設けている。
【００４１】
なお、図１（ａ）に示すように、第２浮き部８０の内竿部８２は、浮力体８５が底面についている際には、連結部８１を軸とした内竿部の先端が下向きとなる角度に形成されており、給水口６２ａに対向する位置の給水塞栓８３が給水口６２ａから下方に離れ、給水口６２ａを開いた状態となるように形成されている。このため、浮き室６０ａに延びる内竿部は、角度を有して立ち上げられている。浮力体８５を保持する内竿部の上面は、潅水水位が上昇したとき、浮き室６０ａの天井に平行となるまで回動する。
【００４２】
図１（ｂ）は、本発明の間歇型補水器の平面図である。この図では、気密ケース６０の上部に第１浮き部７０が配設されている状態であり、気密ケース６０は、前方に設けられた水平板６１とそこから立ち上がる給水パイプ接続部６２、水平板６１の先端左右に設けられた嵌合軸６７が示され、後方は気室６０ｂの外側面壁６５が示されている。
【００４３】
第１浮き部７０は、嵌合軸６８に連結された連結部７１の上端から角度を有して気密ケース６０の上面に並行するように延びる外竿部７２と、外竿部７２の先端の左右に下向きに設けられた中空の二つの収納部７４と、収納部７４内に挿入された浮力体７５が示されている。
【００４４】
次に、図２を参照して気密ケース６０についてさらに詳しく説明する。図２は気密ケースの構造を示し、（ａ）は正面図、（ｂ）は平面図である。
【００４５】
図１の説明と同一の構造・機能については同符号を付して説明を省略する。
【００４６】
図２（ａ）に示すように、水平板６１は、気密ケース６０の外側面壁６３の下端、すなわち通気溝６０ｃの上部から水平に延びるように設けられている。
【００４７】
水平板６１の上面には、気密ケース６０の外側面壁６３と給水パイプ接続部６２の間に延びる補強壁６１ｂと、水平板６１の両端に設けられた補強壁６１ａを備え、給水パイプの接続や、第２浮き部８０の支持を確実に行えるよう補強されている。
【００４８】
機密ケース６０の左右の側壁６９は、底面まで延びているが、水平板６１が延びる前部の外側面壁６３と、浮き室６０ａとの隔壁６４は、短く形成され、底面との間に通気溝６０ｃが開口した状態とされている。
【００４９】
これに対し、気室６０ｂの外側の外側面壁６５は、わずかに短く形成され、通気溝６０ｃより幅が広く、底面から高い通気溝６０ｄとされている。
【００５０】
この実施の形態では、通気溝６０ｃの高さは５ｍｍ、通気溝６０ｄの高さは６ｍｍとして１ｍｍの差を設けて、給水による潅水で上昇した水位が植物により消費され、水位が低下したとき、まず通気溝６０ｄの開口から気室６０ｂ内に閉じ込められていた水が外部に排出され、外気と交換され、その後、通気溝６０ｃの開口より水位が低下したとき、浮き室６０ａ内に閉じ込められていた水が外部に排出され外気と交換され、浮き室６０ａ内の水位が水位調節装置の外部の水受けと同じ位置まで下がる。
【００５１】
また、気密ケース６０の上面（天井部分）に開口した通気孔６６は、中心が区画隔壁６４の中心線上とされ、孔の直径は、区画隔壁６４の幅より大きく形成され、浮き室６０ａと気室６０ｂの両方の室に連通する構造とされているので、前記通気溝６０ｄから気室６０ａに流入した外気は、通気孔６６内の間隙を通過して浮き室６０ａにも流れ込むため、従来内部に閉じ込められた水がスムーズに排出されないために給水開始の動作（第２浮きの下降）が遅れる不具合を皆無とすることができる。
【００５２】
図２（ｂ）は気密ケース６０の平面図である。通気孔６６が区画隔壁６４の中心線上にあけられ、浮き室６０ａと気室６０ｂの両方の室に連通する構造とされていることが示されている。
【００５３】
図３は、第１浮き部７０を示す図で、（ａ）は正面図、（ｂ）は側面図である。
【００５４】
図３（ａ）に示すように連結部７１の下端には、気密ケース６０の嵌合軸６８に回動自在にはめ込むための連結孔７１ａが形成されて、外竿部７２の先端部左右に形成された収納部７４に納められた浮力体７５が、水位の上昇で浮き上がることで、外竿部７２の基部にある通気塞栓７３を上部に持ち上げて気密ケース６０の通気孔６６を開け、水位が一定以下の場合は通気孔６６を塞いだ状態となる。
【００５５】
この第１浮き部７０は、気密ケース６０の通気孔６６の開閉により、気密ケース内に設けられた第２浮き部８０の動作を制御するもので、通気孔６６が閉じられている間、気密ケース６０の内部の空気により機密ケース内の水位の上昇が抑制され、気密ケース６０外部の水位が一定の水位に達し、通気孔６６が開かれて内部の空気が排出されて気密ケース内の水位が上昇し第２浮き部８０が浮き上がり、給水口６２ａが閉じられる。
【００５６】
図４は、第２浮き部８０の平面図である。連結部８１には、気密ケース６０の嵌合軸６７に回動自在に嵌めこむための連結孔８１ａが形成されて、内竿部８２の前部、左右に設けられた保持部８４に保持された浮力体８５が、水位の上昇により浮き上がった際、内竿部８２の基部に上向きに設けられた給水塞栓８３を上に動かし、気密ケース６０に設けられた給水口６２ａを塞ぎ、給水を停止させる。
【００５７】
なお、浮力体８５は、発泡合成樹脂等を用い、保持部８４に設けた突起８４ａ、８４ｂで固定させる。
【００５８】
図５は、本発明の間歇型補水器５０の動作状態を示す図で、（ａ）は給水開始状態の動作を示す断面図、（ｂ）は給水停止状態の動作を示す断面図である。
【００５９】
図５（ａ）は、潅水された水位がＷ３の状態まで下がった場合を示す。すなわち、水位Ｗ３が通気溝６０ｃと同じ高さとなった状態で、このとき、通気溝６０ｄから気室６０ｂ内に閉じ込められていた水を排出し、外気が矢印Ａのように流入し、通気孔６６の間隙から浮き室６０ａにも流入し、浮き室６０ａ内の閉じ込められた水をも下部から排出する。このため、浮き室内の水位がＷ３まで下がり、第２浮き部８０が下がり、給水塞栓８３が給水口６２ａから離れ、水圧がかかった給水が給水パイプ接続部６２から流れ込む。
【００６０】
図５（ｂ）は、潅水された水位がＷ２の状態まで上がった場合を示す。このとき、第１浮き部７０の浮力体７４が浮き上がり通気塞栓７３を通気孔６６から離して、浮き室６０ａ、空気室６０ｂ内の空気を矢印Ｂのように通気孔６６から外部に流出させ、空気で遮られていた水が浮き室６０ａ、空気室６０ｂに流入して外部の水位Ｗ２と同じ高さまで満たす。このため、第２浮き部８０の浮力体８５が浮き上がり、内竿部８２の先端に設けられた給水塞栓８３が給水口６２ａを塞ぎ、給水を停止させる。
【００６１】
図６は、防塵ケースに収納した本発明の間歇型補水器で、（ａ）は正面図、（ｂ）は平面図である。
【００６２】
図６において、５１は防塵ケースで、５１ａは、給水パイプ５２を通すパイプ孔である。間歇型補水器５０は、プランターやパレット、鉢底などに装着されるが、栽培中は、殆ど動かしたり、清掃したりしないこととなる。このため、外部からの汚れの進入を防止するための防塵ケース５１を被せることが望ましい。
【００６３】
本発明の間歇型補水器を用いることによれば、植物の種類、大きさ、気象条件の変化に応じた水と空気を交互に供給し、一滴の水も外には出すことなく、無動力で潅水し２４時間的確に作動させることができるため、植物がストレスなく成長する。ストレスがない植物は、驚異的な成長を遂げる。
【００６４】
ベランダなどの雨水が当たらない場所にあっては、植物栽培用給水台の上にあらゆる既存の鉢を置くだけで、底穴から水が供給され、容易に底面給水鉢とさせることができる。叉、植え込みの下に設置すれば、乾燥による枯死の防止が図られる。
【００６５】
また、空間を利用したハンギングコンテナに取り付けることによれば、潅水の手間を省き、植物の水ストレスをなくすことができるため、植え替え無しで成長をさせることができる。
【００６６】
また、屋上緑化のコンテナに用いれば、あらゆる植物の発芽、成長、繁茂を繰り返す植物栽培台とすることができる。土を使用せず軽量で、植物の葉と栽培台から大量の蒸発散を行わせることができる。
【００６７】
さらに、間歇型補水器の小型化により、傾斜屋根の角度に応じた可変式植物栽培鉢を実現することができる。これによればあらゆる植物の葉を通し、大量の水を蒸散させることができる、しかも無駄な水の排出は一切させないことができる。花だらけの屋根面を実現することができる。
【００６８】
また、間歇型補水器の小型化により、幅が薄く、壁面に取り付け可能な植栽ケースが可能となり、蒸散量の多い植物であっても壁面緑化が可能となる。
【００６９】
人口地盤状に自然生態系を再現するビオトープを実現する際に、本発明の間歇型補水器を利用すれば、容易に実現が可能である。
【００７０】
本発明の間歇型補水器を用いることにより、時々刻々に変化する気象に対応できる植物本来の潅水が可能となり、屋上、傾斜屋根、壁面、歩道橋、街路灯、舗装面、中央分離帯等の環境条件の厳しい場所にあっても、あらゆる植物の選択ができるようになった。
【図面の簡単な説明】
【００７１】
【図１】本発明の間歇型補水器を示す図で、（ａ）は正面図、（ｂ）は平面図である。
【図２】気密ケースの構造を示し、（ａ）は正面図、（ｂ）は平面図である。
【図３】第１浮き部の構造を示すし、（ａ）は正面図、（ｂ）は側面図である
【図４】第２浮き部の構造を示す平面図である。
【図５】本発明の間歇型補水器５０の動作状態を示す図で、（ａ）は給水開始状態の動作を示す断面図、（ｂ）は給水停止状態の動作を示す断面図である。
【図６】ケースに収納した本発明の間歇型補水器で、（ａ）は正面図、（ｂ）は平面図である。
【図７】従来の水位調節装置の構造を示す断面図である。
【符号の説明】
【００７２】
１    水位調節装置
１０    ケース
１７  空気孔
１８  通気溝
２０    第１の浮き
２４  空気孔密閉栓
３０    第２の浮き
３４  注水栓
Ｗ１    第１水位
Ｗ２    第２水位
Ｗ３    潅水開始水位
Ｇ      水平線、水平底面
５０    間歇型補水器
５１    防塵ケース
５１ａ  パイプ孔
５２    給水パイプ
６０    気密ケース
６０ａ  浮き室
６０ｂ  気室
６０ｃ  通気溝
６０ｄ  通気溝
６１    水平板
６２    給水パイプ接続部
６２ａ  給水口
６３    外側面壁
６４    区画隔壁
６５    外側面壁
６６    通気孔
６７    嵌合軸
６８    嵌合軸
６９    側壁
７０    第１浮き部
７１    連結部
７１ａ  連結孔
７２    外竿部
７３    通気塞栓
７４    収納部
７５    浮力体
８０    第２浮き部
８１    連結部
８１ａ  連結孔
８２    内竿部
８３    給水塞栓
８４    保持部
８４ａ  突起
８４ｂ  突起
８５    浮力体
Ａ、Ｂ  空気の流れを示す矢印
【図１】
2006271207.tif 000003
【図２】
2006271207.tif 000004
【図３】
2006271207.tif 000005
【図４】
2006271207.tif 000006
【図５】
2006271207.tif 000007
【図６】
2006271207.tif 000008
【図７】
2006271207.tif 000009